(57)【要約】【課題】複数の加熱部のタイマ動作表示を、１つの表示器にて行っているとき、ある加熱部にてタイマ調理を行っておりその残時間を表示器に表示していり場合に、別の加熱部にて自動調理機能が選択されると自動調理終了までの残時間の表示を行うことができること。【解決手段】２つの加熱部１、２に対して別々に設定した動作時間の一方を、１つの残時間表示手段１１ａにて表示を行っているとき、一方のたとえば加熱部１にて設定した動作時間を残時間表示手段１１ａに表示している場合、他方の加熱部２にて自動調理機能が選択されると、残時間表示手段１１ａを自動調理終了までの残時間表示に自動的に切り換え表示することとなる。【選択図】図１
2007280700.tif 000002
【特許請求の範囲】
【請求項１】
第１及び第２の加熱部と、前記第１及び第２の加熱部の各々の動作を独立して設定すると共に、この設定内容を表示する操作表示部とを有し、前記操作表示部は、前記第１及び第２の加熱部の動作時間を各々独立して設定し、それらの動作残時間の何れか１つを表示する残時間表示手段と、第１及び第２の加熱部の両方或いは何れか一方の火力を予め定められた工程通りに自動で調節する自動調理機能とを備え、前記第１及び第２の加熱部の何れか一方の動作時間を設定し、その動作時間を前記残時間表示手段に表示しているときに、前記第１及び第２の加熱部の他方にて前記自動調理機能が選択されると、前記残時間表示手段を、選択された前記自動調理機能の残時間表示に切り換える構成とした加熱調理器。
【請求項２】
残時間表示手段は、選択された自動調理機能の残時間表示に切り換えた後、一定時間経過すると切り換え前の表示に戻る構成とした請求項１に記載の加熱調理器。
【請求項３】
残時間表示手段に表示している動作残時間がどの加熱部のものであるかを示す選択表示手段を有する構成の請求項１または２に記載の加熱調理器。
【請求項４】
操作表示部が選択手段を有し、前記選択手段にて選択された加熱部の動作残時間を残時間表示手段に表示する構成の請求項１〜３いずれか１項に記載の加熱調理器。
【請求項５】
選択手段はスイッチから成り、前記スイッチの押下動作の繰り返しで加熱部の選択を行う構成とした請求項４に記載の加熱調理器。
【請求項６】
第１及び第２の加熱部が動作時間を設定されている場合に、各々の前記加熱部の動作残時間を時系列で残時間表示手段に順次表示する構成の請求項１または２に記載の加熱調理器。
【発明の詳細な説明】
【技術分野】
【０００１】
本発明は一般家庭やレストラン及びオフィスなどで使用される複数の加熱部を有する加熱調理器に関するものである。
【背景技術】
【０００２】
従来、この種の加熱調理器は、２つの加熱部に独立して設定した調理タイマの残時間の何れか一方を１つの表示器にて表示するものが開示されている（例えば、特許文献１参照）。
【特許文献１】特開平１１−２９４７７７号公報
【発明の開示】
【発明が解決しようとする課題】
【０００３】
しかしながら、前記従来の構成では、自動調理機能を備えた加熱調理器において、２つの加熱部に独立して設定した調理タイマの残時間の何れか一方を１つの表示器にて表示するため、一方の加熱部にてタイマ調理を行っており、表示器にはそのタイマ調理の残時間を表示している。このとき、他方の加熱部にて自動調理を選択、開始すると、タイマ調理の残時間を表示器に表示しているため、自動調理が終了するまでの残時間の表示ができず、利用者にとって分かりにくく、使い勝手が悪いという課題を有していた。
【０００４】
さらに、自動調理が終了するまでの残時間を確認するためには、表示器に表示している残時間を、利用者が選択手段により切り換える必要があり、煩わしく、操作ミスをしてしまう恐れがある。
【０００５】
本発明は前記従来の課題を解決するもので、表示器に表示している残時間を、利用者が選択手段により切り換える必要がなく、利用者に、より使い勝手の良い加熱調理器を提供することを目的とする。
【課題を解決するための手段】
【０００６】
上記目的を達成するために、本発明の加熱調理器は、自動調理機能が選択されると、残時間表示手段を、選択された自動調理機能の残時間表示に切り換える構成としたものである。
【０００７】
これにより、一方の加熱部にてタイマ調理を行っており、その動作残時間を表示手段に表示しているときに、他方の加熱部にて自動調理を選択、開始した場合においても、利用者は、自動調理を選択、開始した段階ですぐに自動調理終了までの残時間を確認することができる。
【発明の効果】
【０００８】
以上のように本発明の加熱調理器は、タイマ残時間を表示する表示手段の個数を増加させる必要がなく、制御部品のコストアップを抑制することができる。また、利用者が選択手段により表示を切り換える動作を必要とせず、表示を自動的に切り換えるため、利用者により使い勝手を良くすることができる。
【発明を実施するための最良の形態】
【０００９】
第１の発明は、第１及び第２の加熱部と、第１及び第２の加熱部の各々の動作を独立して設定すると共に、この設定内容を表示する操作表示部とを有し、操作表示部は、第１及び第２の加熱部の動作時間を各々独立して設定し、それらの動作残時間の何れか１つを表示する残時間表示手段と、第１及び第２の加熱部の両方、あるいは何れか１つの火力を予め定められた工程通りに自動で調節する自動調理機能とを備え、第１及び第２の加熱部の何れか一方の動作時間を設定し、その動作時間を残時間表示手段に表示しているときに、第１及び第２の加熱部の他方にて自動調理機能が選択されると、残時間表示手段を、選択された自動調理機能の残時間表示に切り換える構成としたものである。これにより、複数の加熱部は操作表示部の設定による制御信号により、各加熱部で独立した設定で動作可能で、各々独立した設定状態、例えば、手動調理の強・中・弱といった火力設定で各々の被加熱対象となる調理物あるいは調理物の入った容器等を同時に加熱できると共に、操作表示部にそれぞれの設定状態に対応した表示を行うことができる。さらに、複数の加熱部の両方或いは何れか一方の火力を予め定められた工程通りに自動で調節する自動調理（例えば、手動調理の強火力で１０分調理後、手動調理の弱火力で５分調理を行う）機能を備えており、複雑な火力調整を自動で行うことができる。
【００１０】
また、１つの加熱部、例えば第１の加熱部に調理タイマとして動作時間（例えば３０分）を設定すると、残時間表示手段には第１の加熱部の動作算時間が減じる度（例えば１分毎）にその表示を更新しながら表示し、第１の加熱部の動作算時間が０になると、第１の加熱部の動作を停止する。加えて、他方の加熱部、例えば第２の加熱部に対しても調理タイマとして動作時間（例えば４０分）を設定すると、その動作時間経過後、第２の加熱部の動作を停止する。
【００１１】
このとき、１つの加熱部、例えば第１の加熱部にてタイマ調理を行っており、残時間表示手段には第１の加熱部の動作残時間を表示されているとき、他方の加熱部、例えば第２の加熱部にて自動調理機能が選択された場合、残時間表示手段は、自動調理が選択された第２の加熱部の動作残時間（この場合は、自動調理の残時間）の表示に切り換える。すなわち、第１の加熱部が動作残時間３０分でタイマ調理を行っており、残時間表示手段には第１の加熱部の動作残時間３０分が表示されている場合でも、第２の加熱部で自動調理（例えば、手動調理の強火力で１０分調理後、手動調理の弱火力で５分調理を行う）機能が選択されると、残時間表示手段は、第２の加熱部の自動調理の残時間１５分の表示に自動的に切り替わる。
【００１２】
これにより、利用者が自ら設定したタイマ調理の残時間表示よりも、火力と時間を予め定められた工程通りに行う自動調理の残時間を優先して選択、表示することにより、利用者は自動調理を選択、開始後すぐに自動調理の終了時間を手間なく確認することができる。また、複数の加熱部の動作残時間を、１つの残時間表示手段に表示することにより、操作表示領域の増加やそれを構成する表示素子やスイッチ等の電子部品や、それに付随する構造部品の増加を抑制できる。
【００１３】
第２の発明は、特に第１の発明において、残時間表示手段は、選択された自動調理機能の残時間表示に切り換えた後、一定時間経過（例えば１５秒）すると切り換え前の表示に戻る構成としたものである。これにより、利用者は自動調理の残時間を開始後すぐに手間なく確認した後、あらかじめ表示されていたタイマ調理の残時間表示を確認しながら調理できるため、各加熱部の動作残時間を容易に認識することができる。
【００１４】
第３の発明は、特に第１または第２の発明において、残時間表示手段に表示している動作残時間がどの加熱部のものであるかを示す選択表示手段を有する構成としたものである。これにより、選択表示手段が残時間表示手段で表示している動作残時間が第１または第２の加熱部のどちらの加熱部のものかを特定し、明確にできる。
【００１５】
第４の発明は、特に第１〜第３のいずれか１つの発明において、操作表示部が選択手段を有し、選択手段にて選択された加熱部の動作残時間を残時間表示手段に表示する構成としたものである。これにより、使用者が選択手段を操作することで、所望の加熱部に対する動作残時間を選択して残時間表示手段に表示させることができる。
【００１６】
第５の発明は、特に第４の発明において、選択手段はスイッチから成り、スイッチの押下動作の繰り返しで加熱部の選択を行う構成としたものである。これにより、使用者はスイッチの押下動作という単純な操作の繰り返しで、所望の加熱部に対する動作残時間を選択して残時間表示手段に表示させることができる。
【００１７】
第６の発明は、特に第１または第２の発明において、第１及び第２の加熱部が動作時間を設定されている場合に、各々の加熱部の動作残時間を時系列で残時間表示手段に順次表示する構成としたものである。これにより、使用者は操作表示部に触れることなく、各加熱部の動作残時間を容易に認識することができる。
【００１８】
以下本発明の加熱調理器の実施の形態を誘導加熱調理器を例に取り上げ、図面に基づいて説明する。なお、この実施の形態によって本発明が限定されるものではない。
【００１９】
（実施の形態１）
以下本発明の実施の形態を図面に基づいて説明する。図１は本発明の実施の形態の構成を示すブロック図である。
【００２０】
図１の誘導加熱調理器において、鍋等の被加熱物を誘導加熱する第１の加熱部１、第２の加熱部２を有し、操作表示部３は選択手段８ａを含み、第１の加熱部１及び第２の加熱部２の動作設定状態を設定し、その設定状態に対応した表示をそれぞれ独立して表示する、スイッチ等、ＬＥＤやＬＣＤで構成したものであり、スイッチ等で構成された選択手段８ａとＬＣＤまたはＬＥＤから成りセグメント表示で数字を示す残時間表示手段１１ａ、ＬＥＤで構成された選択表示手段１２を含んでいる。また、第１の加熱部及び第２の加熱部の火力を、記憶手段５に予めに記憶しておいた工程通りに、自動的に火力を調節する自動調理機能を備えている。
【００２１】
上記構成において、その動作を説明する。使用者が操作表示部３のスイッチ等を操作することにより操作表示部３は第１の加熱部１または第２の加熱部２に動作開始あるいは設定火力の信号を出力する。これを受けた第１の加熱部１または第２の加熱部２は加熱動作を開始したり、あるいは加熱動作中のものに対しては火力の設定を変える等の動作を行う。これと同時に操作表示部３は設定した各加熱部の設定状態を表示している。この時、操作表示部３はＬＥＤで構成された動作表示要素を各加熱部に対応して独立して有しているため、使用者はどの加熱部がどのような設定状態で動作しているのかを容易に視認することができる。
【００２２】
例えば、第１の加熱部１の動作を設定する場合には、図１に示す第１の操作領域６の「切／入」キー６ａ、「自動調理」キー６ｂ、「火力アップ」キー６ｃ、「火力ダウン」キー６ｄ、で、第１の加熱部１の加熱開始と停止は「切／入」キー６ａを押す毎に設定でき、自動調理の開始と停止は「自動調理」キー６ｂを押す毎に設定することができる。また、加熱中に「火力アップ」キー６ｃまたは「火力ダウン」キー６ｄを押せば、第１の加熱部１の加熱火力を設定することができる。これと同時に第１の表示領域９内の加熱状態を示すＬＥＤ９ａ、自動調理状態を示すＬＥＤ９ｂ、火力設定状態を示すＬＥＤ９ｄに、設定されている状態を点灯・消灯によって表示する。加熱中であれば加熱状態を示すＬＥＤ９ａを点灯させ、加熱停止中であれば消灯させる。また、自動調理中であれば自動調理状態を示すＬＥＤ９ｂを点灯させ、自動調理中でなければ消灯させる。さらに、火力設定状態はＬＥＤ９ｃの中の、設定されている火力、本実施の形態では「強」・「中」・「弱」といった火力、に対応したＬＥＤを点灯させる。
【００２３】
同様に第２の加熱部２の動作を設定する場合には、図１に示す第２の操作領域７の「切／入」キー７ａ、「自動調理」キー７ｂ、「火力アップ」キー７ｃ、「火力ダウン」キー７ｄで、第２の加熱部２の加熱開始と停止は「切／入」キー７ａを押す毎に設定でき、自動調理の開始と停止は「自動調理」キー７ｂを押す毎に設定することができる。また、加熱中に「火力アップ」キー７ｃまたは「火力ダウン」キー７ｄを押せば、第２の加熱部２の加熱火力を設定することができる。これと同時に第２の表示領域１０内の加熱状態を示すＬＥＤ１０ａ、自動調理状態を示すＬＥＤ１０ｂ、火力設定状態を示すＬＥＤ１０ｃに設定されている状態を点灯・消灯によって表示する。加熱中であれば加熱状態を示すＬＥＤ１０ａを点灯させ、加熱停止中であれば消灯させる。また、自動調理中であれば自動調理状態を示すＬＥＤ１０ｂを点灯させ、自動調理中でなければ消灯させる。さらに、火力設定状態はＬＥＤ１０ｃの中の、設定されている火力、本実施の形態では「強」・「中」・「弱」といった火力、に対応したＬＥＤを点灯させる。
【００２４】
また、タイマ設定を行う場合には、図１に示す第３の操作領域８の中の選択手段８ａの「選択」キーで所望の加熱部を選択する。この場合、「選択」キー８ａを押す度に、選択する所望の加熱部を変更することができる。こうすることで、選択可能な加熱部の数だけスイッチを設けることなく、複数の加熱部から所望の加熱部を選択することができる。この後、第３の操作領域８の中の「分」キー８ｂを押すことによってタイマ調理の時間を設定する。本実施の形態では「分」キー８ｂを１回押す度にタイマ設定時間を１分ずつ増加させている。タイマ調理をやめるときは「取消」キー８ｂを押す。これと同時に操作表示部３の表示領域１１内に配置され選択された加熱部を表す「第１」ＬＥＤ１２ａまたは「第２」ＬＥＤ１２ｂを点灯させ、「分」キー８ｂを押す毎に数字表示素子１１ａの表示を「０」から１刻みに増加させて表示している。
【００２５】
この時、例えば第１の加熱部１に調理タイマとして動作時間（３０分）を設定すると、カウントタイマ４はこの第１の加熱部１に対する第１の動作残時間をカウントし、残時間表示手段１１ａには第１の動作残時間が減じる度（１分毎）にその表示を更新しながら表示する。また、時間経過により第１の動作残時間が０になると、タイマ調理終了と判断し、加熱部１の動作を停止させる。
【００２６】
また、第１の加熱部１及び第２の加熱部２が動作中でなく、第２の加熱部２にタイマ調理をさせる場合には、まず、選択手段８ａの「選択」キーを２回押して、第２の加熱部２を選択し、次に「分」キー８ａを、所望の調理時間になるまで押し（本実施の形態では３回押せば３分にというように）、調理時間を設定する。その後「切／入」キー７ａを押すことにより第２の加熱部２の加熱を開始させると、第２の加熱部２は設定した調理時間になるまで加熱を継続し、設定した調理時間に到達すると自動的に加熱を停止する。これと同時に第３の表示部１１は、第２の加熱部２が選択されていることを示す「第２」ＬＥＤ１２ｂを点灯させ、数字表示素子である残時間表示手段１１ａは「３」を表示する。その後、「切／入」キー７ａが押されると、第２の表示領域１０の加熱状態を示すＬＥＤ１０ａを点灯させると共に、加熱火力は火力設定状態を示すＬＥＤ１０ｃの中の初期値である「強」の位置のＬＥＤを点灯させている。また、調理時間の進行と共に残時間表示手段１１ａはその表示している数字を減じた値を「０」になるまで表示する。第２の加熱部２は設定された調理時間になると、報知手段１３がブザー吹鳴等で報知しつつ自動的に加熱を停止すると共に、第２の表示領域１０内のＬＥＤを消灯し、第３の表示領域１１の表示を消灯する。
【００２７】
第２の加熱部２がタイマ調理中で、第３の表示領域１１に、第２の加熱部２が選択されていることを示す「第２」ＬＥＤ５ｂが点灯し、第２の加熱部２に設定された調理時間あるいは調理終了までの時間を残時間表示手段１１ａで表示している時に、第１の加熱部１の動作状態を設定する操作領域６の「自動調理」キー６ｂが押されると、記憶装置５に記憶されている工程通りに加熱部１の火力を自動的に調節する自動調理が開始される。このとき、残時間表示手段１１ａは、加熱部２のタイマ調理の残時間の表示から、加熱部１の自動調理の残時間の表示へと切り換える。すなわち、第３の表示領域１１内の第２の加熱部２が選択されていることを示す「第２」ＬＥＤ１２ｂを消灯し、第１の加熱部１が選択されていることを示す「第１」ＬＥＤ１２ａを点灯させると共に、残時間表示手段１１ａに、第１の加熱部１の自動調理終了までの残時間を表示する。また、残時間表示手段１１ａに、第１の加熱部１の自動調理終了までの残時間をしばらくの間表示した後（例えば１５秒間）、もともと表示していた第２の加熱部に設定された調理時間あるいは調理終了までの時間の表示に戻す。すなわち、第３の表示領域１１内の第１の加熱部１が選択されていることを示す「第１」ＬＥＤ１２ａを消灯し、第２の加熱部２が選択されていることを示す「第２」ＬＥＤ１２ｂを点灯させると共に、残時間表示手段１１ａに、第２の加熱部２の加熱部に設定された調理時間あるいは調理終了までの時間を表示する。
【００２８】
第２の加熱部２がタイマ調理中で、第３の表示領域１１に、第２の加熱部２が選択されていることを示す「第２」ＬＥＤ１２ｂが点灯し、第２の加熱部２に設定された調理時間あるいは調理終了までの時間を残時間表示手段１１ａで表示している時に、選択手段８ａの「選択」キーを１回押すと、第２の加熱部２のタイマ調理に関する表示を一旦消灯すると共に第１の加熱部１が選択されていることを示す「第１」ＬＥＤ１２ａを点灯する。この時第２の加熱部２のタイマ調理動作は継続して進行している。そして、「分」キー８ｂを、所望の調理時間になるまで押して、本実施の形態では５回押せば５分にというように、調理時間を設定すると、残時間表示手段１１ａは「５」を表示する。その後「切／入」キー６ａを押すことにより第１の加熱部１の加熱を開始させると、第１の表示部４の第１の表示領域９の加熱状態を示す「加熱」ＬＥＤ９ａを点灯させると共に、加熱火力は火力設定状態を示すＬＥＤ９ｃの中の初期値である「強」の位置のＬＥＤを点灯させる。その後第１の加熱部１は設定した調理時間になるまで加熱を継続し、調理時間の進行と共に数字表示素１１ａはその表示している数字を減じた値を「０」になるまで表示しながら、設定した調理時間に到達すると、報知手段１３がブザー吹鳴等で報知しつつ第１の加熱部１は自動的に加熱を停止する。この後は、未だ第２の加熱部２でのタイマ調理が進行しているため、第３の表示領域１１は自動的に、第２の加熱部２の動作残時間及び「第２」ＬＥＤ５ｂを点灯表示する。
【００２９】
第１及び第２の加熱部がタイマ調理中のとき、第３の表示領域１１に表示する内容を、時系列（例えば５秒毎）に順次切り換え表示する。すなわち、まず５秒間第３の表示領域１１内の残時間表示手段１１ａに第１の加熱部１の残時間を表示すると共に、第１の加熱部１が選択されていることを示す「第１」ＬＥＤ１２ａを点灯する。５秒間表示後、「第１」ＬＥＤ１２ａを消灯し、残時間表示手段１１ａを第２の加熱部２の残時間表示に切り換えると共に、第２の加熱部２が選択されていることを示す「第２」ＬＥＤ１２ｂの点灯を５秒間行う。さらに５秒間表示後、「第２」ＬＥＤ１２ｂを消灯し、第３の表示領域１１に表示する内容を、第１の加熱部１のものに切り換えるという動作を、５秒毎に繰り替えし行う。これにより、使用者は操作表示部に触れることなく、各加熱部の動作残時間を容易に認識することができる。
【００３０】
第１の加熱部１がタイマ調理中で第３の表示領域１１では第１の加熱部１のタイマ調理状態を表示し、且つ第２の加熱部２もタイマ調理中の時は、第２の加熱部２のタイマ設定状態の表示だけを停止しているので、選択手段８ａの「選択」キーを１回押すと、第３の表示領域１１では第１の加熱部１のタイマ調理状態を消灯して第２の加熱部２のタイマ調理状態を表示する。更に再び選択手段８ａの「選択」キーを１回押すと、第２の表示部５は第２の加熱部２のタイマ調理状態を消灯して第１の加熱部１のタイマ調理状態を表示する。このようにすることで、１つの数字表示素子で複数の加熱部のタイマ調理状態を表示できるので、使用者が、所望の加熱部のタイマ調理の動作残時間を任意に視認できる。この第１の加熱部１のタイマ調理状態を表示している時に、先に第２の加熱部２の動作残時間が「０」になった場合は、一旦第３の表示領域１１では第２の加熱部２のタイマ加熱状態の表示に切り換える（残時間表示手段１１ａは「０」、選択表示手段１２は「第２」ＬＥＤをそれぞれ点灯表示）と共に、報知手段１３がブザー吹鳴等で調理終了の報知をしつつ第２の加熱部２は自動的に加熱を停止した後、再び第１の加熱部１のタイマ加熱状態の表示を行う。このことにより、使用者にどちらの加熱部のタイマ調理が終了しているのかを視覚的に伝達することができる。
【００３１】
以上のように本実施の形態によれば、第３の表示領域１１内に配設された、１つの数字表示素子と２つのＬＥＤで、複数の加熱部のタイマ調理等の動作残時間を、「選択」キーの操作等で、使用者の意図に合致させて所望の加熱部ものを表示したり、あるいはキー操作なしで、時系列的に交互に複数の加熱部の、複数の動作残時間を切り替えて表示させることができるので、全表示領域面積を増加を抑制でき、自動調理が選択された場合、その残時間表示を１つの数字表示素子に優先して表示することにより、利用者にキー操作の煩わしさを覚えさせず、また、残時間確認のためのキーの誤操作を防止することができる。
【００３２】
更に、複数の所望の加熱部に調理タイマを付与しつつ、操作表示領域の増加や第３の表示領域、第３の操作領域を構成する電子部品やそれに付随する構造部品の増加をも抑制できる。
【００３３】
尚、本実施の形態では加熱部が２つ存在する場合について述べているが、３つ以上存在する場合においても、同様の効果を得ることができる。
【００３４】
また、本実施の形態では表示する動作残時間は２桁で分単位に表示しているものを示しているが、必要に応じて、３桁以上の表示器を用いて時分秒をきめ細かく表示しても良い。
【産業上の利用可能性】
【００３５】
本発明の加熱調理器は、マイクロコンピュータ等を用いたシステムで構築され、且つ複数の加熱部に調理タイマを付与した調理器のコストダウン或いは操作表示領域の削減等に寄与できるので、複数の加熱部を有した、誘導加熱調理器等の電気調理器、或いは電気以外の熱源を用いたガスコンロ等に適用できる。
【図面の簡単な説明】
【００３６】
【図１】本発明の実施の形態１における加熱調理器の略図及びブロック図
【符号の説明】
【００３７】
１  第１の加熱部
２  第２の加熱部
３  操作表示部
３ａ  選択手段
１１ａ  残時間表示手段
１２  選択表示手段
【図１】
2007280700.tif 000003